(57)【要約】【課題】係止部と被係止部との係止状態を解除させるために押釦体にかける必要な押込力を小さくした蓋付き容器を提供すること。【解決手段】押釦体５を押し込んだときに、摺接部３２のうち少なくとも後側部分３２Ｂが、突出部２８の表面のうち前方を向く前面に摺接して突出部２８を押し上げることにより、被係止部２８Ａが係止部１７を乗り越え、突出部２８の前面には、前方に向けて突の曲面状に形成されると共に前方から後方に向かうにしたがって下方に向けて延び、押釦体５の押し込み操作中に摺接部３２が摺接する摺接湾曲面２９が形成されている。【選択図】図３
2020121044.tif 000002
【特許請求の範囲】
【請求項１】
上方に向けて開口する収容凹部が形成された容器本体と、
前記容器本体の後壁部にヒンジ部を介して連結され、前記収容凹部を開閉する蓋体と、
を備え、
前記容器本体の前壁部には、前方及び上方に一体的に開口する陥凹部が形成され、前記陥凹部を画成する壁面のうち、前方を向く奥壁面には、前方に向けて突出する係止部が形成され、
前記蓋体には、前記陥凹部内へ下方に向けて突出する突出部が配設され、前記突出部には、後方に向けて突出して前記係止部にアンダーカット嵌合する被係止部が形成され、
前記陥凹部には、前記前壁部から外部に露呈する押圧壁部及び前記押圧壁部から後方に向けて突出する摺接部を有する押釦体が後方に向けて押込移動自在に配設され、
前記押釦体を押し込んだときに、前記摺接部のうち少なくとも後端部が、前記突出部の表面のうち前方を向く前面に摺接して前記突出部を押し上げることにより、前記被係止部が前記係止部を乗り越える蓋付き容器であって、
前記突出部の前面には、前方に向けて突の曲面状に形成されると共に前方から後方に向かうにしたがって下方に向けて延び、前記押釦体の押し込み操作中に前記摺接部が摺接する摺接湾曲面が形成されていることを特徴とする蓋付き容器。
【請求項２】
上下方向及び前後方向に沿う断面視で、前記摺接湾曲面の頂部が、前記摺接部の後端部よりも上方に位置していることを特徴とする請求項１に記載の蓋付き容器。
【請求項３】
前記摺接部の後端部が、前記被係止部よりも下方に位置していることを特徴とする請求項１または２に記載の蓋付き容器。
【発明の詳細な説明】
【技術分野】
【０００１】
本発明は、押釦体にかける必要な押込力を軽減した蓋付き容器に関するものである。
【背景技術】
【０００２】
この種の蓋付き容器としては、アイシャドウやアイライナ、ファンデーションなどの化粧料を収容するための収容凹部が形成された容器本体と、容器本体の後壁部にヒンジ部を介して連結された蓋体と、容器本体の前壁部に形成された陥凹部に配設された押釦体と、を備えるものが提案されている（例えば、特許文献１参照）。この蓋付き容器では、容器本体の陥凹部を画成する奥壁面に形成された係止部と蓋体に配設され、陥凹部内へ下方に向けて突出する突出部に形成された被係止部とをアンダーカット嵌合させることによって、容器本体を蓋体で閉塞している。そして、蓋体を開く際には、押釦体を後方に押し込むことによって、容器本体の前壁部のうち奥壁面が形成されている部分が後方に向けて弾性変形すると共に、押釦体の上壁部が突出部の下方に潜り込み、突出部を押し上げる。これにより、突出部に形成された被係止部は、容器本体に形成された係止部を乗り越え、係止部と被係止部との係止状態を解除し、蓋体を開く。
【先行技術文献】
【特許文献】
【０００３】
【特許文献１】特開２００５−２３７４５７号公報
【発明の概要】
【発明が解決しようとする課題】
【０００４】
しかしながら、このような蓋付き容器においても、係止部と被係止部との係止状態を解除させるために押釦体にかける必要な押込力を小さくすることに対して改善の余地があった。
【０００５】
本発明は、前述の課題に鑑みてなされたもので、係止部と被係止部との係止状態を解除させるために押釦体にかける必要な押込力を小さくした蓋付き容器を提供することを目的とする。
【課題を解決するための手段】
【０００６】
本発明は、上記のような課題を解決するために以下のような手段を採用した。すなわち、本発明の蓋付き容器は、上方に向けて開口する収容凹部が形成された容器本体と、前記容器本体の後壁部にヒンジ部を介して連結され、前記収容凹部を開閉する蓋体と、を備え、前記容器本体の前壁部には、前方及び上方に一体的に開口する陥凹部が形成され、前記陥凹部を画成する壁面のうち、前方を向く奥壁面には、前方に向けて突出する係止部が形成され、前記蓋体には、前記陥凹部内へ下方に向けて突出する突出部が配設され、前記突出部には、後方に向けて突出して前記係止部にアンダーカット嵌合する被係止部が形成され、前記陥凹部には、前記前壁部から外部に露呈する押圧壁部及び前記押圧壁部から後方に向けて突出する摺接部を有する押釦体が後方に向けて押込移動自在に配設され、前記押釦体を押し込んだときに、前記摺接部のうち少なくとも後端部が、前記突出部の表面のうち前方を向く前面に摺接して前記突出部を押し上げることにより、前記被係止部が前記係止部を乗り越える蓋付き容器であって、前記突出部の前面には、前方に向けて突の曲面状に形成されると共に前方から後方に向かうにしたがって下方に向けて延び、前記押釦体の押し込み操作中に前記摺接部が摺接する摺接湾曲面が形成されていることを特徴とする。
【０００７】
この発明では、押釦体を押し込んだときに摺接部の後端部が摺接湾曲面に対して点接触または線接触し、摺接部と摺接湾曲面との間の接触面積、ひいては摺接部と摺接湾曲面との間の摺動抵抗を低減するので、摺接部が突出部の下方に潜り込みやすくなる。すなわち、突出部の前面が平坦な傾斜面である場合には、摺接部の後端部とこの傾斜面とが面接触しやすくなり、結果として、突出部の後端部とこの傾斜面と間の摺動抵抗が大きくなる。そのため、突出部の前面に摺接湾曲面が形成されていることによって、押釦体を押し込む力が突出部を押し上げる力に変換されやすくなる。これにより、容器本体を開放させるために押釦体を押し込む力を低減でき、蓋付き容器の開放操作性を向上させることができる。
【０００８】
また、本発明の蓋付き容器では、上下方向及び前後方向に沿う断面視で、前記摺接湾曲面の頂部が、前記摺接部の後端部よりも上方に位置していてもよい。
この場合では、押釦体を押し込んだときに摺接部の後端部が摺接湾曲面のうち頂部よりも下側の部分に当接するので、摺接部が突出部の下方により潜り込みやすくなる。これにより、押釦体を押し込む力が突出部を押し上げる力にさらに変換されやすくなり、蓋付き容器の開放操作性をさらに向上させることができる。
【０００９】
また、本発明の蓋付き容器では、前記摺接部の後端部が、前記被係止部よりも下方に位置していてもよい。
この場合では、押釦体の押し込み時に摺接部が摺接湾曲面のうち被係止部よりも下方の部分に当接するので、押釦体を押し込む力が、突出部を押し上げて突出部の被係止部が係止部を乗り越える力に寄与しやすくなる。そのため、容器本体を開放させるために押釦体を押し込む力をより低減でき、蓋付き容器の開放操作性をさらに向上させることができる。
【発明の効果】
【００１０】
この発明にかかる蓋付き容器によれば、押釦体を押し込んだときにおける摺接部の後端部と摺接湾曲面との間の接触面積を低減して摺接部の後端部と摺接湾曲面との間の摺動抵抗が低減されるので、摺接部が突出部の下方に潜り込みやすくなり、容器本体を開放させるために押釦体を押し込む力を低減できる。
【図面の簡単な説明】
【００１１】
【図１】本発明の第１実施形態にかかる蓋付き容器を示す平面図である。
【図２】図１の蓋付き容器を示すＡ−Ａ矢視断面図である。
【図３】図１の蓋付き容器を示す部分拡大図である。
【図４】図１の蓋付き容器の使用状態を示す部分拡大図である。
【図５】本発明の第２実施形態にかかる蓋付き容器を示す部分拡大図である。
【図６】図５の蓋付き容器の使用状態を示す部分拡大図である。
【図７】比較例にかかる蓋付き容器を示す部分拡大図である。
【発明を実施するための形態】
【００１２】
以下、本発明による蓋付き容器の第１実施形態を、図面に基づいて説明する。なお、以下の説明に用いる各図面では、各部材を認識可能な大きさとするために縮尺を適宜変更している。
【００１３】
本発明にかかる蓋付き容器１は、図１及び図２に示すように、例えば化粧料などの内容物Ｃを収容する携帯用のコンパクト容器であり、平面視で矩形状の扁平容器である。この蓋付き容器１は、内容物Ｃを収容する収容凹部２Ａが形成された容器本体２と、ヒンジ部３により容器本体２に対して回動可能に連結され、容器本体２を開閉する蓋体４と、容器本体２に形成された陥凹部２Ｂに配設された押釦体５と、を備えている。
ここで、本実施形態では、蓋体４側を上側とし、容器本体２側を下側とする。また、上下方向に直交する方向のうちヒンジ部３側を後側とし、その反対側を前側とする。さらに、上下方向及び前後方向の双方に直交する方向を左右方向とする。
【００１４】
容器本体２は、例えばアクリロニトリル−ブタジエン−スチレン共重合体樹脂（ＡＢＳ樹脂）などの合成樹脂材料で形成されており、平面視で矩形状の底壁部１１と、底壁部１１の外周縁から上方に向けて延設された第１周壁部１２と、を有する。これら底壁部１１及び第１周壁部１２は、上方に向けて開口する収容凹部２Ａを画成する。この収容凹部２Ａには、例えばアイシャドウやアイライナ、ファンデーションなどの化粧料のような内容物Ｃを収容した皿体Ｄが収容されている。この皿体Ｄは、平面視で矩形状の扁平容器であり、例えば金属や合成樹脂で形成されている。
【００１５】
第１周壁部１２は、平面視で矩形環状に形成された壁部であり、前側の第１前壁部（前壁部）１３と、左右方向の中間部にヒンジ部３を構成するヒンジ凹部１４Ａが形成された後側の第１後壁部（後壁部）１４と、左右一対の第１側壁部１５と、を有する。
第１前壁部１３の左右方向の中間部には、前方及び上方に一体に開口する陥凹部２Ｂが形成されており、この陥凹部２Ｂを画成する壁部のうち前方を向く奥壁面１６には、図２及び図３に示すように、前方に向けて突出する係止部１７が形成されている。また、陥凹部２Ｂを画成する壁部のうち上方を向く下壁面１８には、前後方向に延在し、上方に開口する一対の引掛溝部１８Ａが左右方向に間隔をあけて形成されている。
【００１６】
蓋体４は、図１及び図２に示すように、容器本体２と同様に合成樹脂材料で形成されており、平面視で矩形板状の天壁部２１と、天壁部２１の外周縁から下方に向けて延設された矩形環状の第２周壁部２２と、を有する。
天壁部２１は、蓋体４の閉状態において容器本体２の底壁部１１の上方で対向して配置されている。天壁部２１の下面の中央部には、図２に示すように、鏡体２３を収容する空間を画成する鏡収容凹部２１Ａが形成されている。
【００１７】
第２周壁部２２は、平面視で矩形環状に形成された壁部であり、前側の第２前壁部２４と、ヒンジ部３を構成するヒンジ軸壁部２５が設けられた後側の第２後壁部２６と、左右両側の第２側壁部２７と、を有する。
第２前壁部２４には、図２及び図３に示すように、下方に向けて突出し、陥凹部２Ｂに上方から進入する突出部２８が配設されている。この突出部２８には、後方に向けて突出し、係止部１７にアンダーカット嵌合する被係止部２８Ａが形成されている。
【００１８】
突出部２８のうち前方を向く前面には、前方に向けて突の曲面状に形成されると共に前方から後方に向かうにしたがって漸次下方に向けて延びる摺接湾曲面２９が形成されている。摺接湾曲面２９の横断面は、本実施形態において、円弧状をなしており、図３に示す断面図において、摺接湾曲面２９のうち摺接湾曲面２９が平坦面であったと仮定した場合の傾斜面２９Ｂに対して下向きの斜め前方に最も突出している部分を頂部２９Ａと称する。なお、摺接湾曲面２９の上端部及び下端部は、第２前壁部２４の前側部分及び突出部２８の下端に滑らかに接続されている。
【００１９】
摺接湾曲面２９の曲率半径は、例えば４ｍｍ以上１０ｍｍであることが好ましく、本実施形態では、約６ｍｍとなっている。曲率半径が１０ｍｍを越えると、摺接湾曲面２９が平坦面に近い湾曲面となるので、押釦体５の押込み力を十分に軽減することができないことがある。一方、曲率半径が４ｍｍ未満であると、例えば突出部２８の被係止部２８Ａが係止部１７を乗り越えるための形状が必要であることに起因して、設計の自由度が低くなることがある。ただし、摺接湾曲面２９の曲率半径は、上述した４ｍｍ以上１０ｍｍに限定されない。
ヒンジ軸壁部２５は、図１及び図２に示すように、ヒンジ凹部１４Ａの左右方向の内側に配設されており、ヒンジ軸壁部２５の左右方向の外端部とヒンジ凹部１４Ａとは、軸部３０を介して連結されている。これにより、容器本体２に対して蓋体４を回動可能に支持するヒンジ部３を構成する。
【００２０】
押釦体５は、図２及び図３に示すように、陥凹部２Ｂ内で後方へ押込移動自在に配設されている。押釦体５は、後方に向けて開口する矩形箱状をなしており、前方に配設された押圧壁部３１と、押圧壁部３１の上端から後方に向けて突設された摺接部３２と、押圧壁部３１の下端から後方に向けて突設された下壁部３３と、左右一対の横壁部（図示略）と、を有する。
【００２１】
摺接部３２は、図３に示すように、上下方向の厚さがほぼ一定である前側部分３２Ａと、前側部分３２Ａの後端から後方へ延在し、上面が後方に向かうにしたがって漸次下方に向かうように傾斜する後側部分３２Ｂと、を有する。摺接部３２は、前後方向の長さが下壁部３３の前後方向の長さよりも短くなっており、押釦体５を後方へ押し込み、下壁部３３の後端が第１前壁部１３の前面に当接したときに摺接部３２の後側部分３２Ｂが陥凹部２Ｂを画成する奥壁面１６に押し付けられないように構成されている。
摺接部３２の後側部分３２Ｂは、突出部２８の前面よりも前方に位置している。なお、摺接部３２の後側部分３２Ｂは、押釦体５の押し込み前に突出部２８の前面に当接していてもよい。摺接部３２の後側部分３２Ｂの上面は、前方から後方に向かうにしたがって漸次下方に向かうように傾斜しており、この傾斜面は、ほぼ平坦面となっている。また、この傾斜面の前後方向に対する傾斜角は、突出部２８の仮想的な上記傾斜面２９Ｂの傾斜角と同等となっている。なお、摺接部３２の傾斜角は、適宜変更してもよい。
【００２２】
下壁部３３は、摺接部３２と陥凹部２Ｂの下壁面１８との間に配設されており、下壁部３３の後端部には、下方に向けて突出し、引掛溝部１８Ａ内へ各別に突出する一対の引掛突出部３３Ａが左右方向に間隔をあけて設けられている。引掛突出部３３Ａは、引掛溝部１８Ａに係止することによって、押釦体５が前方に抜け出ることを防止する。
【００２３】
次に、以上のような構成の蓋付き容器１の使用方法について説明する。
まず、蓋体４を開く場合には、押釦体５を後方へ押し込むと、図４に示すように、摺接部３２の後側部分３２Ｂは、摺接湾曲面２９の頂部２９Ａよりも下方の当接点Ｘにおいて突出部２８の摺接湾曲面２９に当接し、摺接湾曲面２９を後方へ押圧する。これにより、摺接部３２の後側部分３２Ｂは、突出部２８を押圧する力の反力によって下方へ弾性変形すると共に、第１前壁部１３のうち奥壁面１６が形成されている部分は、突出部２８を介して伝達される力によって、その下端部を起点として後方へ弾性変形する。ここで、摺接湾曲面２９が前方に向けて突の曲面状に形成されると共に前方から後方に向かうにしたがって下方に向けて延びており、摺接部３２の後側部分３２Ｂが被係止部２８Ａよりも下方の位置で摺接湾曲面２９に当接するので、第１前壁部１３のうち奥壁面１６が形成されている部分を後方へ弾性変形させつつ、摺接部３２が突出部２８を後方に押圧する力の一部が突出部２８を押し上げる力に変換される。
【００２４】
押釦体５をさらに押し込むと、摺接部３２の後側部分３２Ｂは、突出部２８の摺接湾曲面２９に沿って摺接湾曲面２９に対して下方へ摺動し、突出部２８の下方に潜り込む。ここで、摺接部３２の後側部分３２Ｂは、摺接湾曲面２９に点接触または線接触しているので、突出部２８の前面が平坦な傾斜面である場合と比較して、摺接部３２と摺接湾曲面２９との間の接触面積が低減され、これにより、摺動抵抗が低減されている。さらに、上述のように、摺接部３２の後側部分３２Ｂは、摺接湾曲面２９の頂部２９Ａよりも下方の当接点Ｘにおいて突出部２８の摺接湾曲面２９に当接する。そのため、摺接部３２の後側部分３２Ｂは、滑らかに突出部２８の下方に潜り込む。
その後、摺接部３２は、突出部２８を押し上げる。突出部２８の被係止部２８Ａは、摺接部３２によって押し上げられることにより、奥壁面１６に形成された係止部１７を上方に乗り越え、係止部１７と被係止部２８Ａとの係止状態を解除する。
このようにして、蓋体４をヒンジ部３回りに回動させ、容器本体２の収容凹部２Ａを開放する。
【００２５】
また、蓋体４を閉じる場合には、まず、蓋体４をヒンジ部３回りで逆方向に回動させる。ここで、蓋体４をヒンジ部３回りに回動させていくと、蓋体４の突出部２８は、摺接部３２の上面に当接し、押釦体５を前方へ移動させる。そして、突出部２８の被係止部２８Ａは、容器本体２の奥壁面１６に形成された係止部１７を下方に乗り越えて、係止部１７とアンダーカット嵌合する。これにより、容器本体２の収容凹部２Ａを蓋体４で閉じる。なお、蓋体４を回動させる前に押釦体５を前方に移動させてもよい。また、容器本体２に押釦体５を前方へ付勢するバネなどの付勢部材を配置してもよい。
以上のようにして、蓋付き容器１を開閉する。
【００２６】
以上のような構成の蓋付き容器１によれば、押釦体５を押し込んだときに摺接部３２と摺接湾曲面２９との接触面積を低減し、これにより、摺接部３２と摺接湾曲面２９との間の摺動抵抗を低減しているので、摺接部３２が突出部２８の下方に潜り込みやすくなり、押釦体５を押し込む力が突出部２８を押し上げる力へより変換されやすくなる。また、押釦体５を押し込んだときに摺接部３２の後側部分３２Ｂが摺接湾曲面２９の頂部２９Ａよりも下側の部分に当接しているので、摺接部３２が突出部２８の下方にさらに潜り込みやすくなる。さらに、押釦体５を押し込んだときに、摺接部３２の後側部分３２Ｂが摺接湾曲面２９のうち被係止部２８Ａよりも下側の部分に当接しているので、押釦体５を押し込む力が突出部２８を押し上げて被係止部２８Ａが係止部１７を乗り越える力に寄与しやすくなっている。これにより、容器本体２を開放させるために必要な押釦体５を押し込む力を低減し、蓋付き容器１の開放操作性を向上させる。
【００２７】
次に、本発明における蓋付き容器の第２実施形態について説明する。なお、ここで説明する実施形態は、その基本的構成が上述した第１実施形態と同様であり、上述の第１実施形態に別の要素を付加したものである。したがって、以下の図では、上述した第１実施形態と同一の構成要素に同一符号を付し、その説明を省略する。
【００２８】
本実施形態にかかる蓋付き容器１００の押釦体１０１では、図５に示すように、摺接部１０２が、前後方向の厚さがほぼ一定である後側部分１０２Ａを有している。
後側部分１０２Ａの下面は、前側部分３２Ａの下面と面一とされており、後側部分１０２Ａの上面は、前側部分３２Ａの上面よりも下方に位置している。後側部分１０２Ａの上面は、前方から後方に向かうにしたがって下方に向かうように若干傾斜している。なお、後側部分１０２Ａと前側部分３２Ａとの間には、段部が形成されているが、後側部分１０２Ａは、押釦体１０１の押し込み時において、この段部よりも先に突出部２８に当接するように構成されている。
【００２９】
以上のような構成の蓋付き容器１００においても、押釦体１０１を押し込むと、図６に示すように、摺接部１０２の後側部分１０２Ａが突出部２８の摺接湾曲面２９に当接する。その後の動作は、上述した第１実施形態にかかる蓋付き容器１と同様である。
【００３０】
本実施形態にかかる蓋付き容器１００によっても、上述と同様の作用、効果を奏するが、後側部分１０２Ａの上下方向の厚さが第１実施形態にかかる後側部分３２Ｂの厚さよりも薄くされており、後側部分１０２Ａが上下方向に弾性変形しやすくなっている。そのため、押釦体１０１を押し込んだ際に、後側部分１０２Ａが突出部２８の下方により潜り込みやすくなる。これにより、容器本体２を開放させるために必要な押釦体１０１を押し込む力をさらに低減し、蓋付き容器１００の開放操作性をさらに向上させる。
【００３１】
本願発明者は、摺接部の形状と係止部１７及び被係止部２８Ａの係止状態を解除させるために押釦体にかけた押込力との関係を比較、検証した。以下、本検証で用いた押釦体の形状について説明する。実施例１の押釦体の形状は、第１実施形態にかかる押釦体５の形状に対応しており、実施例２の押釦体の形状は、第２実施形態にかかる押釦体１０１の形状に対応している。比較例１の押釦体の形状は、第２実施形態にかかる押釦体１０１の形状に対応しているが、突出部２０１の前面が摺接湾曲面２９ではなく前方から後方に向かうにしたがって下方に向かうように傾斜した平坦な傾斜面２０２とされている。
また、以下の表１では、比較例１の押釦体において前述の係止状態を解除させるためにかけた押込力を１（１００％）としている。
【００３２】
【表１】
2020121044.tif 000003
【００３３】
表１に示すように、実施例１、２では、前述の係止状態を解除させるための押込力が比較例１よりも小さくなった。特に、実施例２では、第２実施形態においてすでに説明したように、押込力がさらに低減されている。
【００３４】
なお、本発明は上記実施形態に限定されるものではなく、本発明の趣旨を逸脱しない範囲において種々の変更を加えることができる。
例えば、摺接部は、摺接湾曲部のうち頂部よりも下側の部分に当接しているが、摺接湾曲部のうち頂部や頂部よりも上側の部分に当接してもよい。
押釦体の形状は、後方に開口する矩形箱状に限らず、左右一対の横壁部が設けられていない形状など、他の形状であってもよい。また、摺接部は、押釦体の上壁部を兼用するように構成されているが、上壁部とは別に設けられてもよい。
摺接湾曲面は、突出部の前面の全面に形成されている必要はなく、少なくとも摺接部が摺動する範囲にわたって形成されていればよい。
容器本体や蓋体の形状は、上面視で矩形状に限らず、円状など他の形状であってもよく、また、扁平形状に限られない。
容器本体は、１つの内容物を収容する構成となっているが、複数の内容物を収容するように構成されてもよい。ここで、容器本体には、例えばパフやブラシなどの塗布具を収容してもよい。
蓋付き容器は、コンパクト容器に限らず、蓋体が設けられている他の容器であってもよい。
内容物は、ファンデーションやアイシャドウ、アイライナなどの化粧料に限られない。
【産業上の利用可能性】
【００３５】
この発明によれば、係止部と被係止部との係止状態を解除させるために押釦体にかける必要な押込力を小さくした蓋付き容器に関して、産業上の利用可能性が認められる。
【符号の説明】
【００３６】
１，１００  蓋付き容器、２  容器本体、２Ａ  収容凹部、２Ｂ  陥凹部、３  ヒンジ部、４  蓋体、５，１０１  押釦体、１３  第１前壁部（前壁部）、１３  第１前壁部、１４  第１後壁部（後壁部）、１６  奥壁面、１７  係止部、２８  突出部、２８Ａ  被係止部、２９  摺接湾曲面、２９Ａ  頂部、３１  押圧壁部、３２，１０２  摺接部
【図１】
2020121044.tif 000004
【図２】
2020121044.tif 000005
【図３】
2020121044.tif 000006
【図４】
2020121044.tif 000007
【図５】
2020121044.tif 000008
【図６】
2020121044.tif 000009
【図７】
2020121044.tif 000010